(57)【要約】【課題】視覚によって来場者の業種を判断することができるＵＳＢメモリを提供する。【解決手段】ＵＳＢメモリ１０は、ＵＳＢ端子１４を備えた本体１１と、本体１１に着脱可能なキャップ１２とから形成され、所定の展示会場に来場した来場者が所持する。キャップ１２には、来場者の業種に対応した着色が施されている。キャップ１２のＵＳＢ端子収容空間１８は、その入口２１から奥に向かうにつれて次第に狭くなる先細りに形成されている。【選択図】図２
2008209991.tif 000002
【特許請求の範囲】
【請求項１】
ＵＳＢ端子を備えた本体と、前記本体に着脱可能なキャップとから形成され、前記キャップのＵＳＢ端子収容空間に前記ＵＳＢ端子を嵌め込むことで該ＵＳＢ端子が該キャップに包被されるＵＳＢメモリにおいて、
前記ＵＳＢメモリは、所定の会場に来場した来場者が所持し、前記キャップには、前記来場者の種別に対応した着色が施されていることを特徴とするＵＳＢメモリ。
【請求項２】
前記キャップのＵＳＢ端子収容空間が、その入口から奥に向かうにつれて次第に狭くなる先細りに形成されている請求項１記載のＵＳＢメモリ。
【請求項３】
前記キャップが、前記ＵＳＢ端子収容空間を画成する内周壁と、前記内周壁の外側に位置する外周壁とから形成され、前記外周壁が、着色された合成樹脂から作られ、前記内周壁が、弾性変形可能な弾性部材から作られている請求項１または請求項２に記載のＵＳＢメモリ。
【請求項４】
前記ＵＳＢメモリと前記会場の各ブースに設置されたブースコンピュータとが、無線Ｌａｎジグビー（ＺｉｇＢｅｅ）（登録商標）による近距離無線通信規格を利用して互いに無線通信可能であり、前記ＵＳＢメモリが、前記近距離無線通信規格を利用して各ブースにおける各種データを各ブースコンピュータから受信するデータ受信手段と、受信した各種データを各ブースに関連付けて記憶するデータ記憶手段とを有する請求項１ないし請求項３いずれかに記載のＵＳＢメモリ。
【請求項５】
前記近距離無線通信規格における前記ＵＳＢメモリと前記ブースコンピュータとの間の通信速度が、２０〜２５０ＫＢ／ｓ、前記近距離無線通信規格における利用周波数帯域が、２．４ＧＨｚである請求項４記載のＵＳＢメモリ。
【請求項６】
前記近距離無線通信規格では、前記ＵＳＢメモリと前記ブースコンピュータとの間の通信距離を１〜１００ｍの範囲で設定可能であり、前記ＵＳＢメモリと前記ブースコンピュータとの通信時における消費電力が６０ｍＷ以下である請求項５記載のＵＳＢメモリ。
【発明の詳細な説明】
【技術分野】
【０００１】
本発明は、所定の会場に来場した来場者が所持するＵＳＢメモリに関する。
【背景技術】
【０００２】
顧客識別コードが付与された磁気カード（招待状）またはＩＤカード（招待状）を持参したイベント来場者の顧客識別コードを読み取って登録する招待状持参来場者受付登録サブシステムと、磁気カード（招待状）またはＩＤカード（招待状）を持参しない新規来場者が記入したＯＣＲ帳票を読み取り、その来場者に顧客識別コードが付与された磁気カード（招待状）またはＩＤカード（招待状）を発行して登録する新規来場者受付登録サブシステムと、各展示ブースにおける来場者データ管理サブシステムとから形成された来場者管理システムがある（特許文献１参照）。来場者データ管理サブシステムは、各展示ブースにおける来場者受付手段と、各展示ブースにおいて顧客を検索して表示する来場者照会手段と、各展示ブースにおいてカタログ請求等を記録するカード記録手段とを有する。この来場者管理システムでは、新規来場者を受け付けた場合、来場者が記入したＯＣＲ帳票を読み取り、その郵便番号と電話番号とから来場者の所属企業名、所属企業の所在地を特定する。この来場者管理システムは、イベント会場に来場した来場者の入場や退場を機械的、電気的に把握するから、主催者および来場者の双方にとって受付手続を簡易かつ迅速に行うことができる。
【特許文献１】特開２０００−２０７４６８号公報
【発明の開示】
【発明が解決しようとする課題】
【０００３】
前記公報に開示の来場者管理システムは、来場者が磁気カードまたはＩＤカードを所持してイベント会場の各ブースを回り、各ブースにおいてカタログや製品仕様書、製品使用説明書等の製品情報を収集する。しかし、各ブースの担当者が来場者から提示された磁気カードやＩＤカードを見たとしてもその来場者の種別がわからず、視覚によって来場者の種別を判断することができないから、来場者の種別に応じた迅速かつ適切な対応をすることができない。また、各ブースにおいて来場者が指定した要望事項や要望対応データを磁気カードやＩＤカードに電子データとして格納することができず、カタログや製品仕様書、製品使用説明書等の大量の書類を来場者に持ち帰ってもらわなければならない。大量のそれら書類を持ち帰ることは、来場者にとって多大な負担となる。
【０００４】
本発明の目的は、視覚によって来場者の種別を判断することができ、来場者が要望事項や要望対応データを電子データとして持ち帰ることができるＵＳＢメモリを提供することにある。
【課題を解決するための手段】
【０００５】
前記課題を解決するための本発明の前提は、ＵＳＢ端子を備えた本体と、本体に着脱可能なキャップとから形成され、キャップのＵＳＢ端子収容空間にＵＳＢ端子を嵌め込むことで該ＵＳＢ端子が該キャップに包被されるＵＳＢメモリである。
【０００６】
前記前提における本発明の特徴として、ＵＳＢメモリは、所定の会場に来場した来場者が所持し、キャップには、来場者の種別に対応した着色が施されている。
【０００７】
本発明の一例としては、キャップのＵＳＢ端子収容空間がその入口から奥に向かうにつれて次第に狭くなる先細りに形成されている。
【０００８】
本発明の他の一例としては、キャップが、ＵＳＢ端子収容空間を画成する内周壁と、内周壁の外側に位置する外周壁とから形成され、外周壁が着色された合成樹脂から作られ、内周壁が弾性変形可能な弾性部材から作られている。
【０００９】
本発明の他の一例としては、ＵＳＢメモリと会場の各ブースに設置されたブースコンピュータとが無線Ｌａｎジグビー（ＺｉｇＢｅｅ）（登録商標）による近距離無線通信規格を利用して互いに無線通信可能であり、ＵＳＢメモリが、近距離無線通信規格を利用して各ブースにおける各種データを各ブースコンピュータから受信するデータ受信手段と、受信した各種データを各ブースに関連付けて記憶するデータ記憶手段とを有する。
【００１０】
本発明の他の一例としては、近距離無線通信規格におけるＵＳＢメモリとブースコンピュータとの間の通信速度が２０〜２５０ＫＢ／ｓ、近距離無線通信規格における利用周波数帯域が２．４ＧＨｚである。
【００１１】
本発明の他の一例として、近距離無線通信規格では、ＵＳＢメモリとブースコンピュータとの間の通信距離を１〜１００ｍの範囲で設定可能であり、ＵＳＢメモリとブースコンピュータとの通信時における消費電力が６０ｍＷ以下である。
【発明の効果】
【００１２】
本発明に係るＵＳＢメモリによれば、それのキャップにＵＳＢメモリを所持する来場者の種別に対応した着色が施されているから、各ブースの担当者はＵＳＢメモリのキャップを見ることで、各ブースに訪れた来場者の種別がわかり、各ブースの担当者が視覚によって来場者の種別を瞬時に判断することができ、各ブースにおいて来場者の種別に応じた迅速かつ適切な対応をすることができる。
【００１３】
キャップのＵＳＢ端子収容空間がその入口から奥に向かうにつれて次第に狭くなる先細りに形成されているＵＳＢメモリは、キャップの端子収容空間に本体のＵＳＢ端子を嵌め込んだときに、キャップによってＵＳＢ端子がその周方向内方に押圧されるから、キャップが本体から外れ難く、キャップの本体からの不用意な脱落を防ぐことができる。
【００１４】
キャップがＵＳＢ収容空間を画成する内周壁と内周壁の外側に位置する外周壁とから形成され、外周壁が着色された合成樹脂から作られ、内周壁が弾性変形可能な弾性部材から作られているＵＳＢメモリは、キャップの収容空間に本体のＵＳＢ端子を嵌め込んだときに、キャップの内周壁の弾性伸縮性によってＵＳＢ端子がその周方向内方に締め付けられるから、キャップが本体から外れ難く、キャップの本体からの不用意な脱落を防ぐことができる。このＵＳＢメモリは、キャップの外周壁に来場者の種別に対応した着色が施されているから、ＵＳＢメモリのキャップを見ることで、各ブースに訪れた来場者の種別がわかり、各ブースの担当者が視覚によって来場者の種別を瞬時に判断することができ、各ブースにおいて来場者の種別に応じた迅速かつ適切な対応をすることができる。
【００１５】
各ブースにおける各種データをブースコンピュータから受信し、受信した各種データを各ブースに関連付けて記憶するＵＳＢメモリは、各種データが各ブースにおいてＵＳＢメモリに格納されるから、来場者がデータを電子データとして持ち帰ることができ、来場者が大量の書類を持ち帰る必要はなく、来場者の負担を大幅に軽減することができる。このＵＳＢメモリは、各種データが各ブースに関連付けられて記憶されるから、多数のデータを受信したとしても、それらデータを各ブース毎に区別して管理することができ、どこのブースにおいて受信したデータかを確実に判断することができる。このＵＳＢメモリは、近距離無線通信規格として無線Ｌａｎジグビー（ＺｉｇＢｅｅ）を利用することで、１台のブースコンピュータと複数のＵＳＢメモリとが同時に通信可能であり、複数の来場者がブースを訪れたとしても、すべてのＵＳＢメモリがブースコンピュータからデータを受信することができる。
【００１６】
ＵＳＢメモリとブースコンピュータとの間の通信距離を１〜１００ｍの範囲で設定可能であり、ＵＳＢメモリとブースコンピュータとの通信時における消費電力が６０ｍＷ以下であるＵＳＢメモリは、ブースの容積に合わせてＵＳＢメモリとブースコンピュータとの間の通信距離を自由に設定することができ、ブースの敷地面積が大きく、そこに多数の来場者が訪れたとしても、そのブースに入った多数の来場者が所持するすべてのＵＳＢメモリがブースコンピュータからデータを受信することができる。このＵＳＢメモリは、それとブースコンピュータとの通信時における消費電力が６０ｍＷ以下であるから、ＵＳＢメモリの長期間の使用が可能であり、ＵＳＢメモリの充電間隔や電池交換間隔を大幅に延ばすことができる。
【発明を実施するための最良の形態】
【００１７】
添付の図面を参照し、本発明に係るＵＳＢメモリの詳細を説明すると、以下のとおりである。図１は、一例として示すＵＳＢメモリ１０の斜視図であり、図２は、キャップ１２を取り外した状態で示すＵＳＢメモリ１０の斜視図である。図３は、図２の１−１線断面図であり、図４は、図２の２−２線断面図である。図５は、ＵＳＢメモリ１０を取り付けた状態で示すストラップ付き名刺ホルダ２３の斜視図である。ＵＳＢメモリ１０は、本体１１（ＵＳＢフラッシュ・メモリ）と、本体１１に着脱可能に装着されるキャップ１２とから形成されている。このＵＳＢメモリ１０は、展示会場に来場した来場者が所持する。本体１１の前端部１３には、ＵＳＢ端子１４が露出している。本体１１の後端部１５には、ストラップ１６（図５参照）を掛け止める係合孔１７が形成されている。ＵＳＢメモリ１０は、ＵＳＢ端子１４をコンピュータのＵＳＢポートに挿し込み、コンピュータから各種データを受け取り、そのデータを記憶する他、無線通信機能を利用して各種データを受け取り、そのデータを記憶する。
【００１８】
キャップ１２には、ＵＳＢ端子１４を収容可能なＵＳＢ端子収容空間１８が画成されている。ＵＳＢ端子収容空間１８は、キャップ１２の一方の端部１９から他方の端部２０に向かって延びる空間であり、端部１９の側に入口２１が形成されている。端子収容空間１８は、図３，４に示すように、その入口２１から奥（端部２０）に向かうにつれて次第に狭くなる先細りに形成されている。換言すれば、入口２１から奥に向かうにつれて狭窄に形成されている。端子収容空間１８にＵＳＢ端子１４を嵌め込む（圧入）と、端子１４の全体がキャップ１２に包被され、端子１４がキャップ１２によって保護される。ＵＳＢメモリ１０では、端子収容空間１８が先細りに形成されているから、キャップ１２にＵＳＢ端子１４を嵌め込んで行くにつれて、キャップ１２によって端子１４の全体がその周方向内方に向かって押圧される。ゆえに、キャップ１２が本体１１から外れ難く、キャップ１２の本体１１からの不用意な脱落を防ぐことができる。
【００１９】
キャップ１２には、会場に来場した来場者の種別に対応した着色が施されている。キャップ１２は、着色剤によって色付けされた合成樹脂から作られている。合成樹脂には、ポリエチレンやポリプロピレン、ポリスチレン、ポリエステル等の熱可塑性合成樹脂、フェノール樹脂やエポキシ樹脂、ポリウレタン等の熱硬化性合成樹脂を使用することができる。来場者の種別の一例としては、製造業、販売業、サービス業、自営業等の業種、会社役員、会社員、個人、学生、事務職、営業職、専門職等の職種がある。なお、種別を業種や職種に限定するものではなく、他のあらゆる区分が含まれる。キャップ１２の色は、たとえば、製造業を緑色、販売業を黄色、サービス業を赤色、自営業を青色、その他の業種を白色にする。図５では、ＵＳＢメモリ１０がフック２２を介して名刺ホルダ２３のストラップ２４に掛け止められている。名刺ホルダ２３のポケット２５には、来場者の名刺（図示せず）が挿脱可能に収納されている。展示会場を訪れた来場者は、ストラップ２４を首にかけ、名刺ホルダ２３とともにＵＳＢメモリ１０を胸元に吊して展示会場を回る。
【００２０】
図６，７は、他の一例として示すキャップ１２の断面図である。図６は、図３と同様の１−１線断面図であり、図７は、図４と同様の２−２線断面図である。図６，７に示すキャップ１２は、ＵＳＢ端子収容空間１８を画成する内周壁２６と、内周壁２６の外側に位置する外周壁２７とから形成されている。内周壁２６によって画成されたＵＳＢ端子収容空間１８は、図３，４と同様に、その入口２１から奥（端部２０）に向かうにつれて次第に狭くなる先細りに形成されている。外周壁２７は、着色剤によって着色された合成樹脂から作られている。合成樹脂には、図１のキャップ１２と同一のそれを使用することができる。内周壁２６は、弾性変形可能な弾性部材から作られている。弾性部材には、熱可塑性エラストマーや合成ゴム、天然ゴム等を使用することができる。
【００２１】
図６，７のキャップ１２を作るには、外周壁２７と内周壁２６とを成形し、内周壁２６を外周壁２７の内部に入れ、外周壁２７の内面と内周壁２６の外面とを接合固定する。図６，７のキャップ１２は、内周壁２６によって画成された端子収容空間１８が先細りに形成され、キャップ１２にＵＳＢ端子１４を嵌め込んで行くにつれて、キャップ１２によって端子１４の全体がその周方向内方に向かって押圧される。さらに、キャップ１２の端子収容空間１８にＵＳＢ端子１４を嵌め込んだときに、ＵＳＢ端子１４がキャップ１２の内周壁２６の弾性伸縮性によって周方向内方に締め付けられる。ゆえに、キャップ１２が本体１１から外れ難く、キャップ１２の本体１１からの不用意な脱落を防ぐことができる。
【００２２】
図８は、ＵＳＢメモリ１０に内蔵された通信デバイス２８の概略構成図である。ＵＳＢメモリ１０には、無線Ｌａｎジグビー（ＺｉｇＢｅｅ）（登録商標）による近距離無線通信規格を利用するための無線通信可能な通信デバイス２８が内蔵されている。通信デバイス２８は、本体１１の外形を画成するハウジングの内部に収納され、ＵＳＢメモリ１０の基本制御装置（図示せず）にインターフェイスを介して電気的に接続されている。通信デバイス２８は、ＩＣ２９（ジグビーチップ）と、ＩＣ２９にインターフェイス３０を介して接続されたバッテリー３１（電池）とから形成されている。ＩＣ２９は、メモリ３２とマイクロプロセッサ３３とを備え、記憶機能や近距離無線通信機能等を有する。メモリ３２には、通信デバイス２８に所定の手段を実行させるアプリケーションプログラムが記憶されている。通信デバイス２８は、その構成部品としてＩＣ２９を使用しているが、ＩＣ２９の他に、ゲートアレイやフィールドプログラマブルゲートアレイ、専用ハードウェアのうちのいずれかを使用することもできる。
【００２３】
無線Ｌａｎジグビーは、通信コストが安価で消費電力が少ない近距離無線通信規格であり、物理層にＩＥＥＥが使用され、２．４ＧＨｚ帯の周波数帯域を１６のチャネルに分割して利用する。無線Ｌａｎジグビーのデータ転送速度は最大で２５０ｋｂｐｓであり、データ転送距離は１〜１００ｍである。無線Ｌａｎジグビーは、相互に接続するマルチホッピング機能により、６４０００個の機器を接続することができ、すべてを無線でコントロール可能なネットワークを構築することができる。
【００２４】
図９は、ＵＳＢメモリ１０を利用した会場運営システム４０の概略構成図である。図９では、ＵＳＢメモリ１０や電磁波シールドボックスの図示を省略している。会場運営システム４０は、各企業（各ブースの出展者、主催者、管理者）が新製品や新技術の紹介を行う展示会場４１において利用される。会場運営システム４０は、展示会場４１に来場した来場者（個人や企業の担当者、官公庁関係者等）が所持するＵＳＢメモリ１０と、展示会場４１の受付４２，４３に設置された複数台の受付コンピュータ４４と、展示会場４１を提供する管理事務局４５に設置された中央管理コンピュータ４６と、各ブース４７，４８，４９，５０に設置された複数台のブースコンピュータ５１とから形成されている。受付コンピュータ４４とブースコンピュータ５１とは、インターフェイス５２（有線または無線）を介して中央管理コンピュータ４６に接続されている。会場運営システム４０は、展示会場４１のみならず、イベント会場や催事会場、セミナー会場、講演会場でも利用することができる。
【００２５】
展示会場４１は、入口５３および出口５４を有する所定面積の建物の内部に施設されている。展示会場４１外側の入口５３近傍には入場受付４２が設置され、展示会場４１外側の出口５４近傍には退場受付４３が設置されている。なお、展示会場４１が屋外に施設される場合もある。展示会は、各分野の複数の企業が集まって開催され、通常２〜５日間連続して実施される。展示会では、その業態毎に出展企業が変わり、その都度展示会場のレイアウトやブース配置が設計され、あらたなレイアウトやブース配置に基づいて会場が設定される。展示会場４１に作られたそれらブース４７，４８，４９，５０は、それぞれ敷地面積（容積）が異なる。それらブース４７，４８，４９，５０どうしの間には、通路５５が形成されている。
【００２６】
来場者は、入場受付４２において受付手続を行った後、ＵＳＢメモリ１０を所持して入口５３から会場４１に入り、各ブース４７，４８，４９，５０を回る。来場者は、各ブース４７，４８，４９，５０において各企業の展示製品を展覧し、製品の説明等を受けた後、出口５４から会場４１を出る。各ブース４７，４８，４９，５０の出展者や主催者、管理者は、自社製品をアピールするため、来場者に関する来場者データの提供やアンケートに対する回答を依頼し、来場者データを提供した来場者にカタログや粗品を渡す。製品に興味を持った来場者は、ブース４７，４８，４９，５０の係員に自己の要望事項を伝える。ブース４７，４８，４９，５０の係員は、来場者が指定した要望事項に対応する要望対応データを来場者に提供する。各ブース４７，４８，４９，５０の出展者や主催者、管理者は、ブース４７，４８，４９，５０において来場者に好印象を与えることや来場者データを有効に活用することで、商機をつかむことができる。
【００２７】
来場者データには、特定の来場者データを他のそれと識別するための来場者データ識別区分番号、ＵＳＢメモリをメモリ毎に特定するＵＳＢメモリ識別番号、来場日付、来場者の氏名または名称、来場者の住所または居所、来場者の郵便番号および電話番号、来場者が勤務する会社名（官公庁を含む）、会社の住所、会社の郵便番号および電話番号、会社の業種、Ｅ−ｍａｉｌアドレス、ＵＲＬ等がある。要望事項には、会社内容請求、製品詳細説明請求、カタログ請求、製品仕様書請求、製品使用説明書請求、見積請求、商談要求、メールアドレス請求、ＵＲＬ請求、試供品提供等がある。要望対応データには、会社内容の電子データ、製品詳細説明の電子データ、カタログの電子データ、製品仕様書の電子データ、製品使用説明書の電子データ、Ｅ−ｍａｉｌアドレス、ＵＲＬ等がある。
【００２８】
ＵＳＢメモリ１０に内蔵された通信デバイス２８のマイクロプロセッサ３３は、メモリ３２からアプリケーションプログラムを起動し、起動したプログラムに従って、展示会場４１に来場した来場者に関する来場者データを受付コンピュータ４４から受信する来場者データ受信手段、受信した来場者データをＵＳＢメモリ１０の記憶部に記憶する来場者データ記憶手段、記憶部に記憶した来場者データをブースコンピュータ５１に送信する来場者データ送信手段を実行する。マイクロプロセッサ３３は、来場者が指定した要望事項（各種データ）をブースコンピュータ５１から受信する要望データ受信手段、要望事項をＵＳＢメモリ１０の記憶部に記憶する要望データ記憶手段を実行する。マイクロプロセッサ３３は、要望事項に対応する要望対応データ（各種データ）をブースコンピュータ５１から受信する要望対応データ受信手段、要望対応データをメモリに記憶する要望対応データ記憶手段を実行する。
【００２９】
受付コンピュータ４４やブースコンピュータ５１は、中央処理部（ＣＰＵまたはＭＰＵ）と大容量ハードディスク（メモリ）とを有するパーソナルコンピュータである。それらコンピュータ４４，５１のハードディスクには、各種の手段をそれらコンピュータ４４，５１に実行させるためのアプリケーションプログラムが格納されている。それらコンピュータ４４，５１には、キーボードやスキャナ、マウス、バーコードリーダ等の入力装置、ディスプレイやプリンタ等の出力装置がインターフェイス（有線または無線）を介して接続されている。受付コンピュータ４４では、来場者の登録手続や来場者データをＵＳＢメモリ１０に格納する格納手続、来場者データをＵＳＢメモリ１０から消去する消去手続を行う。ブースコンピュータ５１のハードディスクには、各種の要望事項やそれら要望事項に対応する各種の要望対応データがあらかじめ格納されている。なお、図９では、各ブース４７，４８，４９，５０にブースコンピュータ５１が１台設置されているが。１つのブースに複数台のブースコンピュータが設置される場合もある。
【００３０】
受付コンピュータ４４やブースコンピュータ５１には、無線Ｌａｎジグビーによる近距離無線通信規格を実行するアダプタ５６が着脱可能に接続されている。アダプタ５６は、通信デバイスと、通信デバイスにインターフェイスを介して接続されたコネクタと、アダプタの外形を画成するハウジングとから形成されている（図示せず）。コネクタは、ハウジングの端部からハウジングの外側に露出している。通信デバイスは、ＵＳＢメモリ１０のそれと同一であり、ＩＣ（ジグビーチップ）と、ＩＣにインターフェイスを介して接続されたバッテリー（電池）とから形成されている。ＩＣは、メモリとマイクロプロセッサとを備え、記憶機能や近距離無線通信機能等を有する。ＩＣとバッテリーとは、ハウジングの内部に収納されている。アダプタ５６を受付コンピュータ４４やブースコンピュータ５１に接続するには、それらコンピュータ４４，５１の接続端子にアダプタ５６のコネクタを挿し込む。
【００３１】
中央管理コンピュータ４６は、中央処理部（ＣＰＵまたはＭＰＵ）と大容量ハードディスク（メモリ）とを有するパーソナルコンピュータであり、統合管理データベース５７が接続されている。中央管理コンピュータ４６のハードディスクには、各種の手段をコンピュータ４６に実行させるためのアプリケーションプログラムが格納されている。中央管理コンピュータ４６には、キーボードやマウス等の入力装置、ディスプレイやプリンタ等の出力装置がインターフェイス（有線または無線）を介して接続されている。
【００３２】
統合管理データベース５７は、中央管理コンピュータ４６からのデータ転送指令に基づいて各種データをコンピュータ４６に転送し、コンピュータ４６からのデータ格納指令に基づいて各種データを格納する。統合管理データベース５７には、事前に登録手続を行った来場者の来場者データが格納されている。また、統合管理データベース５７には、当日に展示会場４１において受付手続を行った来場者の来場者データが格納される。さらに、受付コンピュータ４４やブースコンピュータ５１から出力された各種データがその都度格納される。なお、統合管理データベース５７には、各ブース４７，４８，４９，５０を識別するためのブース識別番号と、それらブース識別番号に対応したブース出展者、主催者、管理者の氏名または名称とが格納されている。
【００３３】
図１０は、入場時における受付手続の一例を示す図であり、図１１は、来場者データをＵＳＢメモリ１０に記憶させる手順の一例を示す図である。展示会開催日以前に受付を行った事前登録の来場者の受付手続の一例は、以下のとおりである。事前登録済の来場者は、所持する招待状を受付係員に渡す。受付係員は、受け取った招待状に文字情報として表示された来場者データをスキャナで読み込む。スキャナで読み込まれた来場者データは、スキャナから受付コンピュータ４４へ出力され、コンピュータ４４に取り込まれる。受付コンピュータ４４は、取り込んだ来場者データをディスプレイに表示する。来場者は、ディスプレイに表示された来場者データを見ることで、来場者データの正誤を確認する。来場者データの確認の結果、それが正しい場合、受付コンピュータ４４は、取り込んだ来場者データを電子データ化してハードディスクに格納するとともに、来場者データを電子データとして中央管理コンピュータ４６に出力する。
【００３４】
事前登録の来場者の受付手続の他の一例は、以下のとおりである。事前登録済の来場者は、所持する招待状を受付係員に渡す。受付係員は、受け取った招待状に表示されたバーコードをバーコードリーダを介して読み込む。バーコードには、来場者の来場者データが格納されている。バーコードリーダで読み込まれた来場者データは、バーコードリーダから受付コンピュータ４４へ出力され、コンピュータ４４に取り込まれる。受付コンピュータ４４は、取り込んだ来場者データをディスプレイに表示し、来場者データを電子データ化してハードディスクに格納するとともに、来場者データを電子データとして中央管理コンピュータ４６に出力する。
【００３５】
中央管理コンピュータ４６は、受付コンピュータ４４から出力された来場者データと統合管理データベース５７に事前に格納された来場者データと照合し、事前に登録が行われていることを確認する。事前登録が行われている場合、中央管理コンピュータ４６は、受付コンピュータ４４から出力された来場者データに受付済みフラグと日付データとを設定し、受付済みフラグや日付データとともに来場者データを統合管理データベース５７に格納する。
【００３６】
事前登録の来場者の受付手続の他の一例は、以下のとおりである。事前登録済の来場者は、所持する招待状を受付係員に渡す。受付係員は、受け取った招待状に表示されたバーコードをバーコードリーダを介して読み込む。バーコードには、来場者の名前と来場者識別コードとの少なくとも一方が格納されている。バーコードリーダで読み込まれた来場者の名前や来場者識別コードは、バーコードリーダから受付コンピュータ４４へ出力され、コンピュータ４４から中央管理コンピュータ４６に出力される。中央管理コンピュータ４６では、受付コンピュータ４４から出力された来場者の名前や来場者識別コードとあらかじめ統合管理データベース５７に格納された来場者の名前や来場者識別コードとを照合する。中央管理コンピュータ４６は、照合の結果、来場者の名前や来場者識別コードが互いに合致すると、合致した名前や来場者識別コードの来場者データを統合管理データベース５７から抽出し、抽出した来場者データを受付コンピュータ４４に出力する。また、中央管理コンピュータ４６は、来場者の名前や来場者識別コードが互いに合致すると、合致した名前や来場者識別コードの来場者データに受付済みフラグと日付データとを設定し、受付済みフラグや日付データとともに来場者データを統合管理データベース５７に格納する。中央管理コンピュータ４６から出力された来場者データは、受付コンピュータ４４に取り込まれる。
【００３７】
来場者の事前登録の一例は、来場予定者が自宅や会社のコンピュータからインターネットに接続し、展示会場４１を運営する管理事務局４５のサイトにアクセスした後、サイトの事前申し込みに従って必要な項目を入力する。事前申し込みが終了すると、電子メールで招待状が来場予定者に送信される。来場予定者は、管理事務局４５から送信された招待状をプリンタから出力し、その招待状を展示会場４１に持参する。招待状には、事前申込者の来場者データ（来場者データ識別区分番号を含む）が文字情報として印刷されているか、または、来場者データを格納したバーコードが印刷されている。中央管理コンピュータ４６において来場者の名前や来場者識別コードを照合する場合は、招待状に来場者の名前や来場者識別コードを格納したバーコードが印刷される。
【００３８】
事前登録の来場者の来場者データの取り込みが終了すると、受付係員は、来場者の種別に対応するキャップ１２の色を確認し、その色のキャップ１２が付いたＵＳＢメモリ１０を選ぶ。具体的には、来場者の業種が製造業の場合は緑色のキャップ１２が付いたＵＳＢメモリ１０、来場者の業種が販売業の場合は黄色のキャップ１２が付いたＵＳＢメモリ１０、来場者の業種がサービス業の場合は赤色のキャップ１２が付いたＵＳＢメモリ１０、来場者の業種が自営業の場合は青色のキャップ１２が付いたＵＳＢメモリ１０、来場者の業種がその他の場合は白色のキャップ１２が付いたＵＳＢメモリ１０を選ぶ。
【００３９】
次に、受付コンピュータ４４に取り込まれた来場者データのＵＳＢメモリ１０への書き込みが行われる。来場者データのＵＳＢメモリ１０への書き込みは、受付コンピュータ４４と、それに接続されたアダプタ５６と、電磁波シールドボックス５８とを使用して行われる（図１１参照）。シールドボックス５８は、入場受付４２に設置されている。シールドボックス５８は、電磁波を遮断する電磁波シールド材で作られた六面体の箱であり、開閉可能な頂壁５９および底壁６０と、それら頂底壁５９，６０間に延びる各側壁６１とから形成されている。それら壁５９，６０，６１に囲まれた内部には、ＵＳＢメモリ１０を収納する収納部６２が画成されている。シールドボックス５８の収納部６２には、受付コンピュータ４４に取り付けられたアダプタ５６から延びるアンテナ６３が配置されている。なお、図示はしていないが、シールドボックス５８の外側に延びるアダプタ５６のアンテナ６３には電磁波シールド材によるシールド処理が施されている。
【００４０】
電磁波シールド材の一例としては、炭素鋼板、ステンレス鋼板、銅板、下地（鋼板，プラスチック板，フィルム等）の外面に銅箔を貼り付けた板材、下地（鋼板，プラスチック板，フィルム等）の外面にアルミ箔を貼り付けた板材を使用することができる。電磁波シールド材の他の一例としては、合成繊維の表面に銅やニッケルをメッキした導電性繊維を使用することができる。導電性繊維は、その複数を下地（鋼板，プラスチック板，フィルム等）の外面に固着して使用する。電磁波シールド材の他の一例としては、金を蒸着させたフィルムを貼り付けたシールドガラス、銀等の金属膜をスパッタしたシールドガラス、ポリエステル繊維にニッケルをメッキした導電性メッシュを２枚のガラスで挟んだシールドガラスを使用することができる。シールドボックスは、それら電磁波シールド材の少なくとも１つを材料として作られている。ゆえに、ボックスの収納部から外側に電磁波（電波）が漏出することはない。なお、シールド材の接合部分には、ガスケットを挿入する。ガスケットには、ニッケル合金、ベリリュウムカッパ、ステンレス鋼等を使用することができる。
【００４１】
受付係員は、シールドボックス５８の頂壁５９を開けてＵＳＢメモリ１０を収納部６２に納め、頂壁５９を閉じる。シールドボックス５８に収納されるＵＳＢメモリ１０は１つのみである。受付係員は、受付コンピュータ４４のキーボードを介して来場者データ送信指令をコンピュータ４４に指示する。受付コンピュータ４４は、来場者データ送信指令に従って来場者データの電子データをアダプタ５６に出力し、アダプタ５６の無線通信機能を利用して来場者データを送信する。来場者データの電子データは、アダプタ５６のアンテナ６３からシールドボックス５８の収納部６２に発信され、収納部６２に入れたＵＳＢメモリ１０の通信デバイス２８に受信された後、メモリ１０の記憶部に記憶される（来場者データ受信手段、来場者データ記憶手段）。なお、ＵＳＢメモリ１０には、あらかじめＵＳＢメモリ識別番号が設定されている。次に、受付係員は、シールドボックス５８の頂壁５９を開けて収納部６２からＵＳＢメモリ１０を取り出し、それを事前受付の来場者に渡す。来場者は、ＵＳＢメモリ１０を所持して展示会場４１内に入る。
【００４２】
当日受付における受付手続は、以下のとおりである。当日受付の来場者は、入場受付４２において必要項目を入場申し込み用紙に記入した後、申し込み用紙を受付係員に渡す。または、所持する名刺を受付係員に渡す。受付係員は、受け取った申し込み用紙または名刺をスキャナで読み込む。申し込み用紙に記載された来場者データまたは名刺に表示された来場者データは、スキャナから受付コンピュータ４４へ出力され、コンピュータ４４に取り込まれる。受付コンピュータ４４は、取り込んだ来場者データをディスプレイに表示し、来場者データを電子データ化してハードディスクに格納する。さらに、来場者データ識別区分番号を生成し、来場者データ識別区分番号を含む来場者データを電子データとして中央管理コンピュータ４６に出力する。中央管理コンピュータ４６は、受付コンピュータ４４から出力された来場者データに受付済みフラグと日付データとを設定し、受付済みフラグや日付データとともに来場者データを統合管理データベース５７に格納する。
【００４３】
当日受付来場者の来場者データの取り込みが終了すると、受付係員は、来場者の種別に対応するキャップ１２の色を確認し、そのキャップ１２が付いたＵＳＢメモリ１０を選ぶ。次に、受付コンピュータ４４に取り込まれた来場者データ（来場者識別区分番号を含む）のＵＳＢメモリ１０への書き込みが行われる。来場者データのＵＳＢメモリ１０への書き込み手順は、事前登録来場者のそれと同一であるから、その説明は省略する。来場者データのＵＳＢメモリ１０への書き込みが行われた後、当日受付の来場者は、そのＵＳＢメモリ１０を所持して展示会場４１内に入る。
【００４４】
会場運営システム４０では、シールドボックス５８を使用してＵＳＢメモリ１０に来場者データを格納するから、来場者に渡すＵＳＢメモリ１０のみにその来場者の来場者データを記憶させることができる。システム４０は、来場者データの電子データがシールドボックス５８の収納部６２からボックス５８の外側に漏出することはなく、複数のＵＳＢメモリが入場受付４２に置かれていたとしても、収納部６２に発信された来場者データが他のＵＳＢメモリに格納されてしまうことはなく、来場者データの不用意な漏出を防ぐことができる。ＵＳＢメモリ１０には来場者データとして多種多様なデータを記憶させることができるから、異なる他の会場において異なる各種の来場者データを自由に設定かつ使用することができる。
【００４５】
図１２は、ＵＳＢメモリ１０とブースコンピュータ５１との間の各種データの送受信を説明する図である。ＵＳＢメモリ１０を所持した来場者は、入口５３から会場４１に入り、各ブース４７，４８，４９，５０を回る。各ブース４７，４８，４９，５０では、ブースコンピュータ５１に取り付けられたアダプタ５６の通信デバイスとＵＳＢメモリ１０の通信デバイス２８との間の通信距離がコンピュータ５１を中心とした半径１〜２ｍの範囲であらかじめ設定されている。アダプタ５６とＵＳＢメモリ１０との間の通信距離は、０．１〜１００ｍの範囲で調節することができる。なお、アダプタ５６とＵＳＢメモリ１０との間の通信距離をそれらブース４７，４８，４９，５０の容積に合わせて設定することもできる。
【００４６】
ブース４７，４８，４９，５０に来場者が訪れると、ブース４７，４８，４９，５０の係員は、ＵＳＢメモリ１０のキャップ１２の色を見ることで、来場者の業種（種別）を判断し、来場者が希望するであろう項目をあらかじめ予想しつつ、来場者を接待する。ブース４７，４８，４９，５０の係員は、来場者を接待しつつ、来場者に来場者データの送信可否を問い合わせる。来場者が送信可を選択すると、ブース４７，４８，４９，５０の係員は、来場者をブースコンピュータ５１の半径１〜２ｍの範囲に導き、コンピュータ５１に接続されたキーボードのエンターキーを押す。エンターキーが押されると、ＵＳＢメモリ１０に記憶された来場者データの電子データが通信デバイス２８からアダプタ５６の通信デバイスに送信される（来場者データ送信手段）。来場者データは、アダプタ５６の通信デバイスに受信された後、アダプタ５６からブースコンピュータ５１に出力される。来場者データがＵＳＢメモリ１０からブースコンピュータ５１に送信されると、来場者データの内容がブースコンピュータ５６に接続されたディスプレイに表示される。来場者は、ディスプレイに来場者データの内容を見ることで、来場者データの正誤を確認することができる。
【００４７】
ＵＳＢメモリ１０から送信された来場者データは、ブースコンピュータ５１のハードディスクに格納されるとともに、コンピュータ５１から中央管理コンピュータ４６に出力される。中央管理コンピュータ４６は、ブースコンピュータ５１から出力された来場者データを各ブース４７，４８，４９，５０に関連付けて統合管理データベース５７に格納する。来場者データと各ブース４７，４８，４９，５０とは、以下のように関連付けられている。ブースコンピュータ５１のハードディスクには、統合管理データベース５７に格納された各ブース４７，４８，４９，５０のブース識別番号と同一のブース識別番号と、それらブース識別番号に対応するブース出展者、主催者、管理者の氏名または名称とが格納されている。ブースコンピュータ５１は、来場者データを中央管理コンピュータ４６に出力するときに、その来場者データにブース識別番号と出展者、主催者、管理者の氏名または名称とを添付して出力する。来場者データにブース識別番号と出展者、主催者、管理者の氏名または名称とが添付されることで、来場者データとブース４７，４８，４９，５０とが関連付けられて統合管理データベース５７に格納される。
【００４８】
なお、ブースコンピュータ５１において来場者データを取得することの承諾を各来場者から事前に得ている場合では、各ブース４７，４８，４９，５０の容積に合わせてアダプタ５６の通信デバイスとＵＳＢメモリ１０の通信デバイス２８との間の通信距離を設定することで、来場者が各ブース４７，４８，４９，５０に入ると、その来場者の来場者データがＵＳＢメモリ１０から自動的にブースコンピュータ５１のアダプタ５６に送信され、来場者データがコンピュータ５１のハードディスクに記憶されるとともに、ブース識別番号と出展者、主催者、管理者の氏名または名称が添付された来場者データがコンピュータ５１から中央管理コンピュータ４６に出力される。
【００４９】
図１３〜図１５は、ブースコンピュータ５１のディスプレイに表示された要望事項の一例を示す図である。来場者データを受信した後、ブース４７，４８，４９，５０の係員は、来場者に要望の有無を訪ねる。来場者が要望有りを伝えると、係員は、キーボードを介してブースコンピュータ５１に要望事項表示指示を入力する。ブースコンピュータ５１は、要望事項表示指示に従って要望事項をディスプレイに表示する。表示された要望事項の一例は、図１３に示すように、会社内容、製品詳細、カタログ請求、製品仕様、製品使用説明、見積、商談、ＵＲＬ、メールアドレス、試供品提供である。来場者は、それら要望事項の中から少なくとも１つを指定し、キーボードの数字ボタンを押して要望事項の番号を特定する。要望事項番号としてキーボードの数字ボタンの（２）が押されたものとする。数字ボタンの（２）が押されると、ブースコンピュータ５１は、図１４に示すように、要望事項番号（２）に対応する製品詳細画面（複数の製品名およびそれら製品の写真、価格）（要望対応情報）をディスプレイに表示する。
【００５０】
次に、来場者は、キーボードの数字ボタンを押して希望する製品の番号を特定する。要望事項番号としてキーボードの数字ボタンの（３）が押されたものとする。数字ボタンの（３）が押されると、ブースコンピュータ５１は、図１５に示すように、要望事項番号（３）に対応する製品Ｃの製品紹介画面（製品の拡大写真、詳細説明、価格、設計図等）（要望対応情報）をディスプレイに表示する。ブースの係員は、ディスプレイを見ながら来場者に製品説明を行う。
【００５１】
ブースコンピュータ５１は、来場者が指定した要望事項を来場者データに関連付けてハードディスクに記憶する。ここで、ハードディスクに記憶される要望事項は、来場者が指定した製品詳細とそれに続く製品Ｃとである。ゆえに、ハードディスクには、ディスプレイに段階的に表示される要望事項のすべてが記憶される。要望事項と来場者データとの関連付けは、来場者データに含まれる来場者データ識別区分番号を要望事項の電子データに添付することにより行われる。要望事項に来場者データ識別区分番号が添付されることで、要望事項と来場者データとが関連付けられてブースコンピュータ５１に格納される。
【００５２】
ブースコンピュータ５１は、要望事項に対応する要望対応データ（会社内容の電子情報、製品詳細説明の電子情報、カタログの電子情報、製品仕様書の電子情報、製品使用説明書の電子情報等）を来場者データに関連付けてハードディスクに記憶する。ここで、ハードディスクに記憶される要望対応データは、来場者が指定した製品Ｃの具体的な内容である。要望対応情報と来場者データとの関連付けは、来場者データに含まれる来場者データ識別区分番号を要望対応データの電子データに添付することにより行われる。要望対応データに来場者データ識別区分番号が添付されることで、要望対応データと来場者データとが関連付けられてブースコンピュータ５１に格納される。
【００５３】
ブースコンピュータ５１は、来場者が指定した要望事項の電子データにブース４７，４８，４９，５０のブース識別番号とブース識別番号に対応した出展者、主催者、管理者の氏名または名称とを添付した後、その要望事項の電子データをアダプタ５６を介して来場者が所持するＵＳＢメモリ１０の通信デバイス２８に送信する。ここで、通信デバイス２８に送信される要望事項は、来場者が指定した製品詳細とそれに続く製品Ｃとである。ゆえに、ＵＳＢメモリ１０には、ブースコンピュータ５１のディスプレイに段階的に表示される要望事項のすべてが記憶される。ブースコンピュータ５１は、要望事項に対応する要望対応データの電子データにブース４７，４８，４９，５０のブース識別番号とブース識別番号に対応した出展者、主催者、管理者の氏名または名称とを添付した後、その要望対応データの電子データをアダプタ５６を介して来場者が所持するＵＳＢメモリ１０の通信デバイス２８に送信する。ここで、通信デバイス２８に送信される要望対応データは、来場者が指定した製品Ｃの具体的な内容である。
【００５４】
来場者が所持するＵＳＢメモリ１０の通信デバイス２８は、ブース識別番号と出展者、主催者、管理者の氏名または名称とが添付された要望事項の電子データをブースコンピュータ５１から受信し（要望データ受信手段）、受信した要望事項をブース識別番号や出展者、主催者、管理者の氏名または名称とともに記憶部に記憶する（要望データ記憶手段）。要望事項にブース識別番号と出展者、主催者、管理者の氏名または名称とが添付されることで、要望事項とブース４７，４８，４９，５０とが関連付けられてＵＳＢメモリ１０に記憶される。ＵＳＢメモリ１０の通信デバイス２８は、ブース識別番号と出展者、主催者、管理者の氏名または名称とが添付された要望対応データの電子データをブースコンピュータ５１から受信し（要望対応データ受信手段）、受信した要望対応データをブース識別番号や出展者、主催者、管理者の氏名または名称とともに記憶部に記憶する（要望対応データ記憶手段）。要望対応データにブース識別番号と出展者、主催者、管理者の氏名または名称とが添付されることで、要望対応データが各ブース４７，４８，４９，５０および各要望事項に関連付けられてＵＳＢメモリ１０に記憶される。
【００５５】
ブースコンピュータ５１は、来場者が指定した要望事項に来場者データ識別区分番号とブース識別番号とを添付し、その要望事項の電子データを中央管理コンピュータ４６に出力し、要望対応データに来場者データ識別区分番号とブース識別番号とを添付し、その要望対応データの電子データをコンピュータ４６に出力する。中央管理コンピュータ４６は、ブースコンピュータ５１から出力された要望事項を来場者データ識別区分番号やブース識別番号とともに統合管理データベース５７に格納する。要望事項に来場者データ識別区分番号とブース識別番号とが添付されることで、要望事項と来場者データやブース４７，４８，４９，５０とが関連付けられて統合管理データベース５７に格納される。中央管理コンピュータ４６は、ブースコンピュータ５１から出力された要望対応データを来場者データ識別区分番号やブース識別番号とともに統合管理データベース５７に格納する。要望対応データに来場者データ識別区分番号とブース識別番号とが添付されることで、要望対応データと来場者データやブース４７，４８，４９，５０とが関連付けられて統合管理データベース５７に格納される。
【００５６】
来場者が会場４１から出て退場受付４３に来ると、退場受付４３の係員がＵＳＢメモリ１０に記憶された来場者データの消去の可否を問い合わせる。来場者が来場者データの消去可を選択すると、係員は、ＵＳＢメモリ１０を預かり、ＵＳＢメモリ１０をシールドボックス５８の収納部６２に収納し（図１１参照）、受付コンピュータ４４のキーボードを介して来場者データ消去指令をコンピュータ４４に出力する。受付コンピュータ４４は、来場者データ消去指令に従ってＵＳＢメモリ１０に記憶された来場者データを消去する。なお、ＵＳＢメモリ１０に記憶された要望事項や要望対応データは消去されることはない。この会場運営システム４０は、ＵＳＢメモリ１０をシールドボックス５８に収納した状態で来場者データを消去するから、他の複数のＵＳＢメモリ１０が退場受付４３に置かれていたとしても、消去対象以外の他のＵＳＢメモリに記憶された来場者データを消去することはなく、来場者データの不用意な消去を防ぐことができる。来場者は、少なくとも要望事項や要望対応データを記憶したＵＳＢメモリ１０を持ち帰る。
【００５７】
来場者が所持するＵＳＢメモリ１０は、それのキャップ１２に来場者の業種（種別）に対応した着色が施されているから、各ブース４７，４８，４９，５０の担当者はＵＳＢメモリ１０のキャップ１２を見ることで、各ブース４７，４８，４９，５０に訪れた来場者の業種がわかり、各ブース４７，４８，４９，５０の担当者が視覚によって来場者の業種を瞬時に判断することができ、各ブース４７，４８，４９，５０において来場者の業種に応じた迅速かつ適切な対応をすることができる。また、ＵＳＢメモリ１０は、各ブース４７，４８，４９，５０における要望事項や要望対応データをブースコンピュータ５１から受信し、受信したそれらを記憶するから、来場者が要望事項や要望対応データを電子データとして持ち帰ることができ、来場者が大量の書類を持ち帰る必要はなく、来場者の負担を大幅に軽減することができる。来場者がＵＳＢメモリ１０を利用することで、各ブース４７，４８，４９，５０の出展者や主催者、管理者が要望対応データを来場者に数日後に送付または送信する場合と比較し、来場者の要望対応データ取得時間を大幅に短縮することができ、希望する要望対応データを来場者に速やかに提供することができる。来場者は、要望事項に対応する要望対応データを即時に取得することができ、持ち帰ったＵＳＢメモリ１０に記憶された要望事項や要望対応データを再生することで、それらを適時に活用することができる。また、要望事項や要望対応データの電子データは経時的な劣化がなく、書類と異なって長期間の保存が可能である。ＵＳＢメモリ１０は、要望事項や要望対応データが各ブース４７，４８，４９，５０に関連付けられて記憶されるから、多数の要望事項や要望対応データを受信したとしても、それらを各ブース４７，４８，４９，５０毎に区別して管理することができ、どこのブース４７，４８，４９，５０において受信した要望事項や要望対応データかを確実に判断することができる。
【００５８】
会場運営システム４０は、ＵＳＢメモリ１０を所持した来場者がブースコンピュータ５１の通信可能範囲に入ることで、来場者の来場者データがそれらＵＳＢメモリ１０からコンピュータ５１に送信かつ記憶されるから、来場者データを読み取るためのカードリーダやバーコードリーダを設置する必要はなく、それらリーダにカードを近づける必要もないから、来場者の負担をなくすことができ、各ブース４７，４８，４９，５０の出展者や主催者、管理者の手間を省くことができる。会場運営システム４０は、ＵＳＢメモリ１０の通信デバイス２８とブースコンピュータ５１に取り付けられたアダプタ５６との間の通信距離を自由に設定することができるから、ブースコンピュータ５１の通信可能範囲を立体的に確保することができ、各ブース４７，４８，４９，５０における来場者データの受信に受信機やアンテナ、カードリーダ、バーコードリーダ等を設置する必要はなく、通信可能範囲内に存在するすべての来場者の来場者データを確実に取得することができる。
【００５９】
会場運営システム４０は、ＵＳＢメモリ１０における来場者データの継続保持を希望しない来場者の来場者データをＵＳＢメモリ１０から消去することができ、ＵＳＢメモリ１０の紛失や盗難による来場者データの不正な漏出を防ぐことができる。会場運営システム４０は、他のあらたな会場においてＵＳＢメモリに再度来場者データを記憶させることができ、または、既に記憶されている来場者データを他のあらたな展示会場において使用することができるから、来場者は、持ち帰ったＵＳＢメモリ１１０を他の展示会場やイベント会場、催事会場、セミナー会場、講演会場において使用することができる。ゆえに、それらＵＳＢメモリ１０はそれらを繰り返して使用することができ、資源の無駄を省くことができる。
【００６０】
会場運営システム４０は、無線Ｌａｎジグビー（ＺｉｇＢｅｅ）を利用することで、１台のブースコンピュータ５１と複数のＵＳＢメモリ１０とが通信可能であり、複数の来場者がブース４７，４８，４９，５０に訪れたとしても、１台のブースコンピュータ５１がそれら来場者に関する来場者データのすべてをＵＳＢメモリ１０から速やかに取得することができ、すべてのＵＳＢメモリ１０がブースコンピュータ５１から要望事項や要望対応データを受信することができる。また、無線Ｌａｎジグビーを利用することで、１台の受付コンピュータ４４と複数のＵＳＢメモリ１０とが通信可能であり、１台の受付コンピュータ４４から複数のＵＳＢメモリ１０に来場者データを送信することができる。会場運営システム４０は、ＵＳＢメモリ１０と受付コンピュータ４４との通信時における消費電力やＵＳＢメモリ１０とブースコンピュータ５１との通信時における消費電力が６０ｍＷ以下であるから、ＵＳＢメモリ１０の長期間の使用が可能であり、ＵＳＢメモリ１０の充電間隔や電池交換間隔を大幅に延ばすことができる。
【００６１】
中央管理コンピュータ４６は、受付コンピュータ４４やブースコンピュータ５１から出力された来場者データ、要望事項、要望対応データを統合管理データベース５７から取り出し、それらを一覧表として出力装置から出力することができる。受付コンピュータ４４やブースコンピュータ５１にはアダプタ５６が取り付けられているが、それらコンピュータ４４，５１に無線ＬＡＮジグビーによる近距離無線通信規格を利用可能な通信デバイスを内蔵することで、アダプタ５６の使用を省くことができる。会場運営システム４０では、近距離無線通信規格として無線ＬＡＮジグビーを利用しているが、ジグビーの他に、Ｂｌｕｅｔｏｏｔｈ（ブルートゥース）を利用することもできる。
【図面の簡単な説明】
【００６２】
【図１】一例として示すＵＳＢメモリの斜視図。
【図２】キャップを外した状態で示すＵＳＢメモリの斜視図。
【図３】図２の１−１線断面図。
【図４】図２の２−２線断面図。
【図５】ＵＳＢメモリを取り付けた状態で示すストラップ付き名刺ホルダの斜視図。
【図６】他の一例として示すキャップの断面図。
【図７】他の一例として示すキャップの断面図。
【図８】ＵＳＢメモリに内蔵された通信デバイスの概略構成図。
【図９】ＵＳＢメモリを利用した会場運営システムの概略構成図。
【図１０】入場時における受付手続の一例を示す図。
【図１１】来場者データをＵＳＢメモリに記憶させる手順の一例を示す図。
【図１２】ＵＳＢメモリとブースコンピュータとの間の各種データの送受信を説明する図。
【図１３】ブースコンピュータのディスプレイに表示された要望事項の一例を示す図。
【図１４】ブースコンピュータのディスプレイに表示された要望事項の一例を示す図。
【図１５】ブースコンピュータのディスプレイに表示された要望事項の一例を示す図。
【符号の説明】
【００６３】
１０    ＵＳＢメモリ
１１    本体
１２    キャップ
１４    ＵＳＢ端子
１８    ＵＳＢ端子収容空間
２１    入口
２６    内周壁
２７    外周壁
５１    ブースコンピュータ
【図１】
2008209991.tif 000003
【図２】
2008209991.tif 000004
【図３】
2008209991.tif 000005
【図４】
2008209991.tif 000006
【図５】
2008209991.tif 000007
【図６】
2008209991.tif 000008
【図７】
2008209991.tif 000009
【図８】
2008209991.tif 000010
【図９】
2008209991.tif 000011
【図１０】
2008209991.tif 000012
【図１１】
2008209991.tif 000013
【図１２】
2008209991.tif 000014
【図１３】
2008209991.tif 000015
【図１４】
2008209991.tif 000016
【図１５】
2008209991.tif 000017